【事件の表示】
　特許第３１３５３３８号「転流式直流遮断器」の請求項１ないし５に係る特許に対する特許異議の申立てについて、次のとおり決定する。
【結　論】
　訂正を認める。
　特許第３１３５３３８号の請求項１ないし４に係る特許を維持する。
【理　由】
〔１〕手続の経緯
　特許第3135338号の請求項１〜５に係る発明についての出願は、平成４年２月21日に特許出願され、平成12年12月１日にその発明についての特許権の設定登録がされ、その後、その特許について、異議申立人入倉秀美より特許異議の申立てがされ、取消しの理由が通知され、その指定期間内である平成14年２月12日に訂正請求がされたものである。
　
〔２〕訂正の適否についての判断
　ア．訂正の内容
　特許権者が求めている訂正の内容は、以下のａ〜ｈのとおりである。
　ａ特許請求の範囲に記載される
「【請求項１】直流電源と負荷との間に設けられた主接点と、該主接点と電気的並列に接続され、かつ、電気的直列に接続されたコンデンサ、リアクトルおよび転流スイッチから成る転流回路とを備えた転流式直流遮断器において、無負荷開路時における上記転流回路から上記負荷側への転流電流の流れを阻止する阻止手段を設けたことを特徴とする転流式直流遮断器。
【請求項２】請求項１記載のものにおいて、上記阻止手段は、上記主接点が開路した時から上記転流スイッチが閉路する前までの間に開路される接点で構成したことを特徴とする転流式直流遮断器。
【請求項３】請求項１記載のものにおいて、上記阻止手段は、上記主接点と同一の操作器によりほぼ同時に開路される接点で構成したことを特徴とする転流式直流遮断器。
【請求項４】請求項１記載のものにおいて、上記阻止手段は、上記転流回路と上記主接点との接続部よりも上記負荷側に設けられたことを特徴とする転流式直流遮断器。
【請求項５】直流電源と負荷との間に設けられた主接点と、該主接点と電気的並列に接続され、転流スイッチの閉路により上記主接点に主回路電流とは逆方向の振動転流電流を流す転流回路とを備え、上記転流スイッチと上記負荷との間に、上記主接点が開極した時に開極する電流阻止手段を設けたことを特徴とする転流式直流遮断器。」を、
「【請求項１】直流電源と負荷との間に設けられた主接点と、該主接点と電気的並列に接続され、かつ、電気的直列に接続されたコンデンサ、リアクトルおよび転流スイッチから成る転流回路とを備えた転流式直流遮断器において、無負荷開路時における上記転流回路から上記負荷側への転流電流の流れを阻止する接点を設け、該接点を、上記主接点が開路した時から上記転流スイッチが閉路する前までの間に開路するように構成したことを特徴とする転流式直流遮断器。
【請求項２】請求項１記載のものにおいて、上記接点は、上記主接点と同一の操作器によりほぼ同時に開路されるように構成したことを特徴とする転流式直流遮断器。
【請求項３】請求項１記載のものにおいて、上記接点は、上記転流回路と上記主接点との接続部よりも上記負荷側に設けられたことを特徴とする転流式直流遮断器。
【請求項４】直流電源と負荷との間に設けられた主接点と、該主接点と電気的並列に接続され、転流スイッチの閉路により上記主接点に主回路電流とは逆方向の振動転流電流を流す転流回路とを備え、上記転流スイッチと上記負荷との間に、上記主接点が開極した時に開極する接点を設けたことを特徴とする転流式直流遮断器。」
　と訂正する。
　
　ｂ発明の詳細な説明中の段落【0005】の第６行（特許公報第３欄第35行）の「阻止手段を設けた」を「接点を設け、該接点を、上記主接点が開路した時から上記転流スイッチが閉路するまでの間に開路するように構成した」と訂正する。
　
　ｃ発明の詳細な説明中の段落【0005】の第10行（特許公報第３欄第41行）の「電流阻止手段」を「接点」と訂正する。
　
　ｄ発明の詳細な説明中の段落【0006】の第３行（特許公報第３欄第45行）の「阻止手段」を「接点の開路」と訂正する。
　
　ｅ発明の詳細な説明中の段落【0007】の第７行および第８行（特許公報第４欄第７行および第８行）、段落【0008】の第５行および第８行（特許公報第４欄第18行および第23行）、段落【0009】の第１行、第３行および第５行（特許公報第４欄第30行、第34行および第36行）、段落【0010】の第２〜３行（特許公報第４欄第43行）および【符号の説明】の第６行（特許公報第６欄第２行）の
「阻止手段」を
「接点」と訂正する。
　
　ｆ発明の詳細な説明中の段落【0007】の第10行（特許公報第４欄第11行）の「接点によって構成される。」を「ように構成される。」と訂正する。
　
　ｇ発明の詳細な説明中の段落【0009】の第７行（特許公報第４欄第39〜40行）および段落【0010】の第２行（特許公報第４欄第42〜43行）の「転流電流が負荷側へ流れ込むのを阻止する」を「その開路によって転流電流が負荷側へ流れ込むのを阻止する」と訂正する。
　
　ｈ図面の「図１」を訂正図面の「図１」のように訂正する。
　
　イ．訂正の目的の適否、新規事項の有無及び拡張・変更の存否
　上記ａの訂正事項のうち請求項１に関する訂正は、本件特許の請求項１に係る発明の構成要件に請求項２に係る発明の構成要件を付加して、これを新たな請求項１に係る発明としたものであるから、特許請求の範囲の減縮に該当するものであり、新規事項の追加に該当しない。
　上記ａの訂正事項のうち請求項２に関する訂正は、請求項２を削除することであるから、特許請求の範囲の減縮に該当するものであり、新規事項の追加に該当しない。
　また、上記ａの訂正事項のうち請求項３〜５に関する訂正は、上記請求項２を削除したことにより、請求項３〜５に係る発明の番号を繰り上げ新たな請求項２〜４とすることであるから、明りょうでない記載の釈明に該当し、かつ、構成要件のうちの「阻止手段」および「電流阻止手段」を具体的実施例である「接点」に限定するものであるから、特許請求の範囲の減縮に該当するものであり、新規事項の追加に該当しない。
　上記ｂ〜ｈの訂正事項は、上記訂正事項ａの訂正にともない記載を整合させるためにするものであって、明りょうでない記載の釈明に該当するものであり、新規事項の追加に該当しない。
　そして、上記いずれの訂正も実質上特許請求の範囲を拡張し、又は変更するものでもない。
　
　ウ．むすび
　以上のとおりであるから、上記訂正は、特許法第120条の４第２項及び第３項において準用する同法第126条第２、３項の規定に適合するので、当該訂正を認める。
　
〔３〕特許異議申立てについて
　ア．申立ての理由の概要
　特許異議申立人入倉秀美は、本件請求項１に係る発明は、甲第１号証又は甲第２号証に記載された発明であるから、特許法第29条第１項の規定により特許を受けることができないものであり、本件請求項２に係る発明は、甲第２号証に記載された発明であるから、特許法第29条第１項の規定により特許を受けることができないものであり、本件請求項３に係る発明は、甲第２号証に記載された発明に基づいて当業者が容易に発明をすることができたものであるから、特許法第29条第２項の規定により特許を受けることができないものであり、本件請求項４に係る発明は、甲第１号証又は甲第２号証に記載された発明であるから、特許法第29条第１項の規定により特許を受けることができないものであり、本件請求項５に係る発明は、甲第１号証又は甲第２号証に記載された発明であるから、特許法第29条第１項の規定により特許を受けられないものであり、若しくは甲第１号証又は甲第２号証に記載された発明に基づいて当業者が容易に発明をすることができたものであるから、特許法第29条第２項の規定により特許を受けられないものである、と主張する。
　イ．本件発明１〜４
　上記〔２〕で示したように上記訂正が認められるから、本件の請求項１〜４に係る発明（以下、「本件発明１」〜「本件発明４」という。）は、上記訂正に係る訂正明細書の特許請求の範囲の請求項１〜４に記載された事項により特定されるとおりのものである。（上記〔２〕ア．訂正事項ａ参照）
　
　ウ．甲各号証に記載された発明
　甲第１号証（実願昭63-135686号（実開平2-56331号）のマイクロフィルム）には、直流真空しゃ断器に関して、第１〜２図とともに以下の事項が記載されている。
(1)「真空インタラプタに並列に転流コンデンサとスイッチ素子の直列回路を設け、前記スイッチ素子のオンによって前記転流コンデンサの充電電荷を前記真空インタラプタのしゃ断時にその主回路電流と逆方向に放電させる直流真空しゃ断器において、前記真空インタラプタと転流コンデンサとスイッチ素子の接続回路に直列に直流リアクトルを設けたことを特徴とする直流真空しゃ断器。」（実用新案登録請求の範囲）
(2)「本考案は上記目的を達成するため、真空インタラプタに並列に転流コンデンサとスイッチ素子の直列回路を設け、前記スイッチ素子のオンによって前記転流コンデンサの充電電荷を前記真空インタラプタのしゃ断時にその主回路電流と逆方向に放電させる直流真空しゃ断器において、前記真空インタラプタと転流コンデンサとスイッチ素子の接続回路に直列に直流リアクトルを設け、転流コンデンサから負荷側に放電電流が流れるのを直流リアクトルで阻止し、該放電電流の殆どを真空インタラプタ側に流す。」（明細書第４頁第12行〜第５頁第７行）
(3)「直流リアクトル５は真空インタラプタ１とサイリスタ３の接続点と負荷側になる端子Ｎとの間に直列に挿入される。この構成において、しゃ断動作時に転流コンデンサ２から放電される急峻な電流は直流リアクトル５によって直流負荷側への流れが阻止され、全ての殆どの放電電流が真空インタラプタ１を通して流れる。これにより転流コンデンサ２の充電電荷は殆ど真空インタラプタのしゃ断動作に寄与し、結果的に従来の回路に較べて転流コンデンサ２の容量を低減とその小型化さらにサイリスタ３の小容量化を図ることができる。また、直流リアクトル５は主回路電流の立上りを抑制し、直流負荷の短絡等に事故放電が過大がなる前にしゃ断動作を行うことができ、直流真空しゃ断器の最大しゃ断電流容量の低減を図ることができる。」（明細書第５頁第12行〜第６頁第13行）
　
　甲第２号証（特開昭47-4380号公報）には、高電圧直流および交流電流を限流しゃ断するための方法および装置に関して、第１〜５図とともに以下の事項が記載されている。
(4)「第１図においてＬは回路インダクタンス、Ｓは転流しゃ断器、ＳＲは残留電流しゃ断器を表わす。転流しゃ断器Ｓと並列に補助しゃ断器ＨＳとコンデンサＣと漂遊インダクタンスＬＳとを備えた転流補助回路および吸収回路があり、この吸収回路はオーム抵抗Ｒまたは電流に関連する抵抗Ｒ(i)またはインダクタンスＬｆを持っている。回路電圧はこの回路に電流ｉを流すが、この電流は最初しゃ断器電流ｉＳとして転流しゃ断器Ｓと残留電流しゃ断器ＳＲとだけを通って流れる。しゃ断器Ｓを開いた後はこのしゃ断器にはそのときに上昇する電弧電圧ｕｂ(t)が生じる。電弧電圧がｕｂ(ta)＝Ｕaに達すると、補助しゃ断器ＨＳはＣとＬＳとからなる回路をしゃ断器に並列に接続する。電流の転流のために第２図により示される等価回路が生じる。ここにおいては、ＲＳｆ(i,t)はしゃ断間隙Ｓｆの電弧抵抗であり、時間tと共に増加しまた或る限度においては電流が小さくなる程増加する。転流過程の間は電流ｉは殆ど一定してＩ０である。電流がＲＳｆから並列回路へ移行するのは、ＲＳｆが転流の場合に急速に抵抗を上昇することができ、その値が無限大に向かっているときだけである。この条件は、転流過程の継続時間が電弧の抵抗上昇に適合されるようにして与えられたしゃ断素子に対して達成されるが、これは例えば充分に大きいキャパシテイＣを選ぶことにより達成される。これまでに知られたしゃ断器においてはこのことは非常に大きいコンデンサバンクＣを要するものとする。本発明によればこの場合に電弧抵抗ＲＳ２に直列にオーム抵抗を回路に接続し、このオーム抵抗が電弧抵抗と共にしゃ断器からこの測路への転流を可能にし、この側路は僅かのコンデンサを設ければよいかまたは全く必要ないようにする回路が提案される。」（第２頁右上欄第15行〜第３頁左上欄第５行）
　
エ．対比・判断
(1)本件発明１と甲第１号証に記載されたものとを対比すると、甲第１号証に記載された「真空インタラプタ１」、「転流コンデンサ２」、「サイリスタ３」、「直列回路」、「直流真空しゃ断器」は、本件発明１の「主接点」、「コンデンサ」、「転流スイッチ」、「転流回路」、「転流式直流遮断器」に相当するものと認められ、かつ、甲第１号証に記載されたものも直流電源と負荷との間に主接点を有するものと認められるから、
　両者は、「直流電源と負荷との間に設けられた主接点と、該主接点と電気的並列に接続され、かつ、電気的直列に接続されたコンデンサおよび転流スイッチから成る転流回路とを備えた転流式直流遮断器」の点で一致しており、
　前者は、「無負荷開路時における転流回路から負荷側への転流電流の流れを阻止する接点を設け、該接点を、主接点が開路した時から転流スイッチが閉路する前までの間に開路するように構成した」のに対して、後者はその構成を有していない点で相違する。
　そして、本件発明１は、上記相違点における前者の構成を有することにより、「本発明は、その開路によって転流電流が負荷側へ流れ込むのを阻止する接点を設けたため、新たに解明された転流電流の負荷側への流れ込みを防止して負荷側での点検等に対する作業者の安全性を向上させることができる。」という明細書に記載の効果を奏することができる。
　また、甲第２号証にも、上記相違点における前者の構成は記載もしくは開示されていない。
　すなわち、甲第２号証に記載されたものは、遮断されるべき電流iが転流遮断器Ｓの開によって転流遮断器Ｓから高抵抗を有する側路へ転流するようにされ、これによって残留電流遮断器ＳＲを流通する電流iが残留電流遮断器ＳＲにより遮断される残留値にまで減少させられる（すなわち、電流iが前記残留値まで減少させられた後、残留電流遮断器ＳＲは開となって前記残留値まで減少させられ電流iを遮断する。）、ことになる。
　したがって、残留電流遮断器ＳＲは、転流遮断器Ｓが開き、その後、補助遮断器ＨＳは閉じてから開くことになるから、本件発明１と甲第２号証に記載されたものとは、構成、作用効果が異なる。
　
　そうすると、本件発明１は、甲第１号証、又は甲第２号証に記載された発明とはいえず、また、甲第１号証および甲第２号証に記載された発明に基づいて当業者が容易に発明をすることができたものともいえない。
　
(2)本件発明２、３は、本件発明１に構成要件をさらに付加して減縮した発明であるから、本件発明１が甲第１号証、甲第２号証に記載された発明に基づいて当業者が容易に発明をすることができたものできない以上、本件発明２、３も、甲第１号証、甲第２号証に記載された発明に基づいて当業者が容易に発明をすることができたものとすることはできない。
　
(3)本件発明４と甲第１号証に記載されたものとを対比すると、甲第１号証に記載された「真空インタラプタ１」、「サイリスタ３」、「直列回路」、「直流真空しゃ断器」は、本件発明１の「主接点」、「転流スイッチ」、「転流回路」、「転流式直流遮断器」に相当するものと認められ、かつ、甲第１号証に記載のものも直流電源と負荷との間に主接点を有するものと認められるから、
　両者は、「直流電源と負荷との間に設けられた主接点と、該主接点と電気的並列に接続され、転流スイッチの閉路により上記主接点に主回路電流とは逆方向の転流電流を流す転流回路とを備えたことを特徴とする転流式直流遮断器」の点で一致し、
　(a)転流電流を、前者は「振動」させたのに対し、後者は、振動させていない点、
　(b)前者は、「転流スイッチと負荷との間に、主接点が開極した時に開極する接点を設けた」のに対し、後者は直流リアクトルを設けた点、
　で相違する。
　そして、本件発明４は、上記相違点(a)、(b)における前者の構成を有することにより、「本発明は、その開路によって転流電流が負荷側へ流れ込むのを阻止する接点を設けたため、新たに解明された転流電流の負荷側への流れ込みを防止して負荷側での点検等に対する作業者の安全性を向上させることができる。」という明細書に記載の効果を奏することができる。
　また、甲第２号証には、上記相違点(a)における前者の構成は有するが、上記相違点(b)における前者の構成は記載もしくは開示されていない。
　すなわち、上記(1)に記載したと同じ理由により、甲第２号証に記載のものにおいては、残留電流遮断器ＳＲは、転流遮断器Ｓが開き、その後、補助遮断器ＨＳは閉じてから開くことになるから、本件発明４と甲第２号証に記載されたものとは、構成、作用効果が異なる。
　そうすると、本件発明４は、甲第１号証、又は甲第２号証に記載された発明とはいえず、また、甲第１号証および甲第２号証に記載された発明に基づいて当業者が容易に発明をすることができたものともいえない。
　
〔４〕むすび
　以上のとおりであるから、特許異議申立ての理由及び証拠によっては、本件発明１〜４に係る特許を取り消すことができない。
　また、他に本件発明１〜４に係る特許を取り消すべき理由を発見しない。
　よって、結論のとおり決定する。
【異議決定日】
平成１４年３月１９日（２００２．３．１９）
【訂正の要旨】
　特許権者が求めている訂正の内容は、以下のａ〜ｈのとおりである。
　ａ特許請求の範囲に記載される
「【請求項１】直流電源と負荷との間に設けられた主接点と、該主接点と電気的並列に接続され、かつ、電気的直列に接続されたコンデンサ、リアクトルおよび転流スイッチから成る転流回路とを備えた転流式直流遮断器において、無負荷開路時における上記転流回路から上記負荷側への転流電流の流れを阻止する阻止手段を設けたことを特徴とする転流式直流遮断器。
　【請求項２】請求項１記載のものにおいて、上記阻止手段は、上記主接点が開路した時から上記転流スイッチが閉路する前までの間に開路される接点で構成したことを特徴とする転流式直流遮断器。
　【請求項３】請求項１記載のものにおいて、上記阻止手段は、上記主接点と同一の操作器によりほぼ同時に開路される接点で構成したことを特徴とする転流式直流遮断器。
　【請求項４】請求項１記載のものにおいて、上記阻止手段は、上記転流回路と上記主接点との接続部よりも上記負荷側に設けられたことを特徴とする転流式直流遮断器。
　【請求項５】直流電源と負荷との間に設けられた主接点と、該主接点と電気的並列に接続され、転流スイッチの閉路により上記主接点に主回路電流とは逆方向の振動転流電流を流す転流回路とを備え、上記転流スイッチと上記負荷との間に、上記主接点が開極した時に開極する電流阻止手段を設けたことを特徴とする転流式直流遮断器。」を、
「【請求項１】直流電源と負荷との間に設けられた主接点と、該主接点と電気的並列に接続され、かつ、電気的直列に接続されたコンデンサ、リアクトルおよび転流スイッチから成る転流回路とを備えた転流式直流遮断器において、無負荷開路時における上記転流回路から上記負荷側への転流電流の流れを阻止する接点を設け、該接点を、上記主接点が開路した時から上記転流スイッチが閉路する前までの間に開路するように構成したことを特徴とする転流式直流遮断器。
　【請求項２】請求項１記載のものにおいて、上記接点は、上記主接点と同一の操作器によりほぼ同時に開路されるように構成したことを特徴とする転流式直流遮断器。
　【請求項３】請求項１記載のものにおいて、上記接点は、上記転流回路と上記主接点との接続部よりも上記負荷側に設けられたことを特徴とする転流式直流遮断器。
　【請求項４】直流電源と負荷との間に設けられた主接点と、該主接点と電気的並列に接続され、転流スイッチの閉路により上記主接点に主回路電流とは逆方向の振動転流電流を流す転流回路とを備え、上記転流スイッチと上記負荷との間に、上記主接点が開極した時に開極する接点を設けたことを特徴とする転流式直流遮断器。」
　と訂正する。
　ｂ発明の詳細な説明中の段落【０００５】の第６行（特許公報第３欄第３５行）の「阻止手段を設けた」を「接点を設け、該接点を、上記主接点が開路した時から上記転流スイッチが閉路するまでの間に開路するように構成した」と訂正する。
　ｃ発明の詳細な説明中の段落【０００５】の第１０行（特許公報第３欄第４１行）の「電流阻止手段」を「接点」と訂正する。
　ｄ発明の詳細な説明中の段落【０００６】の第３行（特許公報第３欄第４５行）の「阻止手段」を「接点の開路」と訂正する。
　ｅ発明の詳細な説明中の段落【０００７】の第７行および第８行（特許公報第４欄第７行および第８行）、段落【０００８】の第５行および第８行（特許公報第４欄第１８行および第２３行）、段落【０００９】の第１行、第３行および第５行（特許公報第４欄第３０行、第３４行および第３６行）、段落【００１０】の第２〜３行（特許公報第４欄第４３行）および【符号の説明】の第６行（特許公報第６欄第２行）の
「阻止手段」を
「接点」と訂正する。
　ｆ発明の詳細な説明中の段落【０００７】の第１０行（特許公報第４欄第１１行）の「接点によって構成される。」を「ように構成される。」と訂正する。
　ｇ発明の詳細な説明中の段落【０００９】の第７行（特許公報第４欄第３９〜４０行）および段落【００１０】の第２行（特許公報第４欄第４２〜４３行）の「転流電流が負荷側へ流れ込むのを阻止する」を「その開路によって転流電流が負荷側へ流れ込むのを阻止する」と訂正する。
　ｈ図面の「図１」を訂正図面の「図１」のように訂正する。
（５４）【発明の名称】
転流式直流遮断器
（５７）【特許請求の範囲】
　【請求項１】　直流電源と負荷との間に設けられた主接点と、該主接点と電気的並列に接続され、かつ、電気的直列に接続されたコンデンサ、リアクトルおよび転流スイツチから成る転流回路とを備えた転流式直流遮断器において、無負荷開路時における上記転流回路から上記負荷側への転流電流の流れを阻止する接点を設け、該接点を、上記主接点が開路した時から上記転流スイツチが閉路する前までの間に開路するように構成したことを特徴とする転流式直流遮断器。
　【請求項２】　請求項１記載のものにおいて、上記接点は、上記主接点と同一の操作器によりほぼ同時に開路されるように構成したことを特徴とする転流式直流遮断器。
　【請求項３】　請求項１記載のものにおいて、上記接点は、上記転流回路と上記主接点との接続部よりも上記負荷側に設けられたことを特徴とする転流式直流遮断器。
　【請求項４】　直流電源と負荷との間に設けられた主接点と、該主接点と電気的並列に接続され、転流スイッチの閉路により上記主接点に主回路電流とは逆方向の振動転流電流を流す転流回路とを備え、上記転流スイッチと上記負荷との間に、上記主接点が開極した時に開極する接点を設けたことを特徴とする転流式直流遮断器。
【発明の詳細な説明】
　【０００１】
　【産業上の利用分野】
　本発明は主接点と電気的並列に転流回路を接続して成る転流式直流遮断器に関する。
　【０００２】
　【従来の技術】
　従来の転流式直流遮断器は、特開昭５４−１４９８７３号公報等で知られており、その回路図を図２に示している。つまり、直流電源１１と負荷１２との間に主接点１を接続し、コンデンサ２、リアクトル３および転流スイツチ４とを電気的直列に接続した転流回路と、エネルギー吸収装置５とを、主接点１と電気的並列に接続して構成され、主回路電流の遮断は、先ず主接点１を開極し、その後、転流装置の転流スイツチ４を閉路して、主接点１に主回路電流とは逆方向の振動転流電流を流し、主回路電流との間で電流零点を作り、これによつて交流電流遮断の場合と同じように遮断している。
　【０００３】
　【発明が解決しようとする課題】
　しかしながら、本発明者達がこの従来の転流式直流遮断器について更に検討した結果、無負荷開路時において負荷１２側に悪影響を与えることが明らかになつた。つまり、無負荷開路時において、主接点１は開極とほぼ同時に極間絶縁が回復するため、その後転流スイツチ４が閉路されると、転流回路からの転流電流Ｉは主接点１を流れず負荷１２側に流れ込んでしまうことが新たに分かつた。このため負荷１２側で、電流遮断が完了したものとして点検等を行うと、作業者は感電する危険がある。
　【０００４】
　本発明の目的とするところは、無負荷開路時における負荷側の安全性を向上した転流式直流遮断器を提供するにある。
　【０００５】
　【課題を解決するための手段】
　本発明は上述の目的を達成するために、直流電源と負荷との間に設けられた主接点と、該主接点と電気的並列に接続され、かつ、電気的直列に接続されたコンデンサ、リアクトルおよび転流スイツチから成る転流回路とを備えた転流式直流遮断器において、無負荷開路時における上記転流回路から上記負荷側への転流電流の流れを阻止する接点を設け、該接点を、上記主接点が開路した時から上記転流スイッチが閉路する前までの間に開路するように構成したことを特徴とし、
　また、直流電源と負荷との間に設けられた主接点と、該主接点と電気的並列に接続され、転流スイッチの閉路により上記主接点に主回路電流とは逆方向の振動転流電流を流す転流回路とを備え、上記転流スイッチと上記負荷との間に、上記主接点が開極した時に開極する接点を設けたことを特徴とする。
　【０００６】
　【作用】
　本発明による転流式直流遮断器は、上述のように無負荷開路時における上記転流回路から上記負荷側への転流電流の流れを接点の開路によつて阻止するようにしたため、無負荷開路時における転流電流は負荷側に流れ込まず、負荷側での点検作業時の安全性を一層向上することができる。
　【０００７】
　【実施例】
　以下、本発明の実施例を図面によつて説明する。
　図１は本発明の一実施例による転流式直流遮断器の回路図である。
　直流電源１１と負荷１２との間に主接点１を接続し、コンデンサ２、リアクトル３および転流スイツチ４とを電気的直列に接続した転流回路と、エネルギー吸収装置５とを、主接点１と電気的並列に接続し、更に無負荷開路時における転流回路から負荷１２側への転流電流の流れを阻止する接点７を設けて転流式直流遮断器１０を構成している。この接点７は、主接点１と転流回路の電気的接続点よりも負荷１２側に設け、例えば主接点１の操作器６によつて主接点１と同時に開閉操作されるように構成される。
　【０００８】
　主回路電流の遮断は、先ず操作器６によつて主接点１を開極し、この開極を検出した後、転流回路の転流スイツチ４を閉路して、主接点１に主回路電流とは逆方向の振動転流電流を流し、主回路電流との間で電流零点を作つて行う。しかし、無負荷時の開路の場合、主接点１は開極と同時に極間の絶縁が回復し、また同一操作器６によつて開極される接点７も開極と同時に極間の絶縁が回復することになる。従つて、その後、転流スイツチ４が閉路されると、コンデンサ２がリアクトル３を介して放電し転流電流Ｉが与えられるが、上述したように既に主接点１は開路しているためここを流れることはなく、また接点７も開路しているためここを流れることはない。そのため、転流電流Ｉはエネルギー吸収装置５で消費され、主回路へは流れない。このようにして負荷１２側への転流電流の流入が阻止されるため、負荷１２側で主回路電流の遮断が完了したものとして点検等を始めたとしても、作業者が感電することがない。
　【０００９】
　上述の実施例では、主接点１と接点７とを同一の操作器６で操作するようにして、所謂直列二遮断点を構成したが、それぞれ別々の操作器により開閉操作するように構成しても良く、またいずれの場合も、接点７は主接点１とほぼ同時に開路するか、あるいは少なくとも転流スイツチ４が閉路する前に開路する構成であれば良い。更に上述の実施例では、接点７を転流回路と主接点１の電気的接続部よりも負荷１２側に設けたが、転流スイツチ４と主回路の間に接続しても良く、いずれにせよその開路によって転流電流が負荷側へ流れ込むのを阻止する構成であれば良い。
　【００１０】
　【発明の効果】
　以上説明したように本発明は、その開路によって転流電流が負荷側へ流れ込むのを阻止する接点を設けたため、新たに解明された転流電流の負荷側への流れ込みを防止して負荷側での点検等に対する作業者の安全性を向上させることができる。
【図面の簡単な説明】
　【図１】
　本発明の一実施例による転流式直流遮断器の回路図である。
　【図２】
　従来の転流式直流遮断器の回路図である。
　【符号の説明】
　１　主接点
　２　コンデンサ
　３　リアクトル
　４　転流スイツチ
　６　操作器
　７　接点
　１１　直流電源
　１２　負荷
【図面】